(57)【要約】【課題】導光設備によって屋外から光が導入される浴室ユニットであって、機能部材のメンテナンス性が優れた浴室ユニットを提供する。【解決手段】光ダクト１０２によって屋外から光が導入される浴室ユニット１において、浴室ユニット１の天井に点検口７が設けられており、この点検口７には点検口蓋８が着脱可能に設けられている。また、点検口蓋８には放光口１１が形成されている。更に、点検口蓋８には、光ダクト１０２から出射した光を放光口１１まで伝達する放光口部材１４が取り付けられている。そして、放光口部材１４は、光ダクト１０２から離隔している。【選択図】図３
2008084750.tif 000002
【特許請求の範囲】
【請求項１】
導光設備によって屋外から光が導入される浴室ユニットであって、
前記浴室ユニットの天井に設けられた点検口と、
前記点検口に対して着脱可能に設けられた点検口蓋と、
前記点検口蓋に形成された放光口と、
前記点検口蓋に取り付けられ、前記導光設備から出射した光を前記放光口まで伝達する放光口部材と、
を備え、
前記放光口部材は、前記導光設備から離隔していることを特徴とする浴室ユニット。
【請求項２】
前記導光設備の光出射口は水平面に対して傾斜しており、
前記放光口部材は、前記光出射口の直下域から外れた領域に配置されていることを特徴とする請求項１記載の浴室ユニット。
【請求項３】
前記放光口部材は、
前記放光口から上方に向かって延びる垂直部分と、
前記垂直部分の上端部から水平方向に延びる水平部分と、
を有し、
前記水平部分の先端部に光入射口が形成されていることを特徴とする請求項２記載の浴室ユニット。
【請求項４】
前記放光口部材は、前記放光口から上方に向かって延びると共に前記光出射口に向けて屈曲したダクトであることを特徴とする請求項２記載の浴室ユニット。
【請求項５】
前記放光口部材の光入射口には、透光板が取り付けられていることを特徴とする請求項１〜４のいずれか１つに記載の浴室ユニット。
【発明の詳細な説明】
【技術分野】
【０００１】
本発明は、浴室ユニットに関し、特に、導光設備によって屋外から光が導入される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。しかしながら、この技術においては、排気ダクトの内部に光ダクトを収納するため、排気ダクトを特別に設計しなくてはならず、コストが増大する。また、排気ダクトに付随する設備、例えば、排気フィン等も特別に設計しなくてはならず、コストが増大する。更に、排気ダクトが大口径になってしまい、天井裏における取り回し、及び建築物の外壁における排気口の設置位置が制約される。
【０００４】
一方、光ダクトを排気ダクトとは別に配設する場合は、浴室ユニットの天井に、排気口とは別に放光口を設けることになる。しかしながら、浴室ユニット上には排気フィン等の機能部材が多数配置されているため、浴室ユニットの天井に放光口を設けることにより、これらの機能部材のメンテナンス性が低下してしまう。
【０００５】
【特許文献１】実開昭６０−０３３２４０号公報
【発明の開示】
【発明が解決しようとする課題】
【０００６】
本発明の目的は、導光設備によって屋外から光が導入される浴室ユニットであって、機能部材のメンテナンス性が優れた浴室ユニットを提供することである。
【課題を解決するための手段】
【０００７】
本発明の一態様によれば、導光設備によって屋外から光が導入される浴室ユニットであって、前記浴室ユニットの天井に設けられた点検口と、前記点検口に対して着脱可能に設けられた点検口蓋と、前記点検口蓋に形成された放光口と、前記点検口蓋に取り付けられ、前記導光設備から出射した光を前記放光口まで伝達する放光口部材と、を備え、前記放光口部材は、前記導光設備から離隔していることを特徴とする浴室ユニットが提供される。
【発明の効果】
【０００８】
本発明によれば、導光設備によって屋外から光が導入され、且つ、機能部材のメンテナンス性が優れた浴室ユニットを実現することができる。
【発明を実施するための最良の形態】
【０００９】
以下、図面を参照しつつ本発明の実施形態について説明する。  
図１は、本発明の実施形態に係る浴室ユニットが設けられた建築物を例示する模式的断面図であり、  
図２は、本実施形態に係る浴室ユニットを例示する斜視図であり、  
図３は、この浴室ユニットにおける放光口部材付近を例示する断面図であり、  
図４は、この浴室ユニットにおける点検口蓋とブラケットとの連結部付近を例示する断面図であり、  
図５は、この浴室ユニットの点検口付近を例示する下面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１に結合されている。採光部１０３は、透明板からなるドームによって覆われており、砂や埃は通過させないが光は透過させる。光ダクト１０２の内部は中空であり、その内面は光反射面とされている。これにより、光ダクト１０２は、住宅１０１の外部から採光部１０３を介して導入された外光Ｌを、その内面において反射しつつ導光して、浴室ユニット１の内部まで導入する。
【００１１】
図１及び図２に示すように、本実施形態に係る浴室ユニット１においては、床の一方の側に浴槽２が設けられており、他方の側が洗い場３となっている。天井４における浴槽２側の部分には、排気口５が設けられており、排気口５の直上には排気フィン６が設けられており、排気フィン６は住宅１０１の排気管１０４に連通されている。これにより、排気口５は排気フィン６及び排気管１０４を介して住宅１０１の外部に連通されている。
【００１２】
一方、天井４における洗い場３側の部分には、点検口７が設けられている。点検口７は、浴室ユニット１上に配置された排気フィン６などの機能部材を点検する際に利用するものである。点検口７のサイズは、点検作業者が上半身を乗り出せるサイズであればよく、例えば、横が４５０ミリメートル、縦が４５０ミリメートルの正方形である。更にまた、点検口７には点検口蓋８が、点検口７に対して着脱可能に設けられている。点検口蓋８は、通常使用時には点検口７に嵌合されて点検口７を塞ぎ、点検時には点検口７から外されて点検口７を開口させるパネル状の部材である。
【００１３】
図３乃至図５に示すように、点検口蓋８の例えば中央領域には、放光口１１として、例えば円形の開口部が形成されている。点検口蓋８の下面における放光口１１の直下域には、ブラケット１３が取り付けられている。ブラケット１３は、光を拡散させながら透過させる透光材料、例えば乳白色の樹脂材料からなり、下方に凸になるように配置されたドーム状の部分を持つ部材である。また、点検口蓋８上には放光口部材１４が設けられている。放光口部材１４は点検口蓋８に取り付けられており、これによって、放光口１１に対して固定されている。
【００１４】
放光口部材１４は遮光体からなるダクトであり、その内面は光反射面とされている。光反射面は、例えば、鏡面又は白色面であり、例えば、アルミニウム若しくはステンレスなどの金属面、又はこれらの金属面の表面に酸化アルミニウム若しくは樹脂などの被覆層が積層された面により構成されている。放光口部材１４の軸直交断面の形状は例えば矩形である。放光口部材１４は、放光口１１から一旦、垂直方向上方に向かって延びた後、直角に屈曲し、その後水平方向に向かって延びて終端している。そして、終端部は開口しており、光入射口１５となっている。
【００１５】
換言すれば、放光口部材１４は、放光口１１から上方に向かって延びる例えば四角柱形状の垂直部分１４ａと、垂直部分１４ａの上端部から水平方向に延びる例えば四角柱形状の水平部分１４ｂとが一体的に連通されて構成されており、水平部分１４ｂにおける垂直部分１４ａに結合されていない側の端部が、光入射口１５となっている。  
なお、本明細書において、「垂直」、「水平」、「直角」という場合は、それぞれ、略垂直、略水平、略直角を含む。
【００１６】
また、垂直部分１４ａと水平部分１４ｂとの間の屈曲部分の側面１４ｃは、水平部分１４ｂ内を伝達してきた光が垂直部分１４ａに向けて反射されるような角度に傾斜している。光入射口１５には、透光板１６が取り付けられている。透光板１６は、例えば、透明樹脂により形成されており、光入射口１５を気密的に塞いでいる。
【００１７】
一方、光ダクト１０２の浴室ユニット１側の先端部は、下方に向かって延びた後、水平方向に屈曲しており、先端面が水平方向に向けて開口し、光出射口１０５となっている。すなわち、光出射口１０５は水平面に対して傾斜しており、例えば垂直面をなしている。光出射口１０５には、透光板１０６が取り付けられている。透光板１０６は、例えば、透明樹脂により形成されており、光出射口１０５を気密的に塞いでいる。また、光ダクト１０２の屈曲部分の側面は、光ダクト１０２内を上方から伝達してきた光が光出射口１０５に向けて反射されるような角度に傾斜している。
【００１８】
そして、放光口部材１４の光入射口１５は、光ダクト１０２の光出射口１０５に対向している。すなわち、光入射口１５に取り付けられた透光板１６は、光出射口１０５に取り付けられた透光板１０６に対して略平行に配置されており、隙間ｃを隔てて離隔している。このため、放光口部材１４は、光ダクト１０２には連結されていない。また、放光口部材１４は、光出射口１０５の直下域から外れた領域に配置されている。隙間ｃの大きさは、例えば数センチメートルである。透光板１６と透光板１０６との間の隙間ｃの大きさは特に限定されないが、点検口蓋８を放光口部材１４と共に点検口７に対して着脱する際に、放光口部材１４が光ダクト１０２に接触しない程度に大きく、また、光出射口１０５から光入射口１５への光の伝達効率が大幅に低下しない程度に小さいことが好ましい。
【００１９】
一方、点検口７の端縁においては、その下面側部分が上面側部分よりも点検口７の内部に向けて突出しており、従って、点検口７の端縁には、下面側が凸となった段差７ａが形成されている。一方、点検口蓋８の上面側部分は下面側部分よりもやや大きく、点検口蓋８の表面に垂直な方向から見て、上面側部分の外縁は下面側部分の外縁よりも外側にあり、従って、点検口蓋８の側面には、上面側が凸となった段差８ａが形成されている。そして、点検口蓋８を点検口７に装着したときに、点検口蓋８の段差８ａが点検口７の段差７ａに係合し、点検口蓋８が点検口７の内部に保持されるようになっている。また、段差７ａにおける段差８ａと接触する部分には、環状のパッキン９が嵌め込まれている。
【００２０】
また、図４に示すように、ブラケット１３においては、略半球状のドーム状部分１３ａと、ドーム状部分１３ａの外縁部から中心に向かって延出した円環板状部分１３ｂと、円環板状部分１３ｂの内縁部からドーム状部分１３ａに対して離隔する方向に起立した円筒状部分１３ｃと、が一体的に成形されている。ドーム状部分１３ａは、天井４から下方に突出している。また、円筒状部分１３ｃの外面には、ネジ溝１３ｄが形成されている。一方、点検口蓋８における放光口１１の内面の下部には、ネジ溝１３ｄに螺合するようなネジ溝８ｄが形成されている。また、ブラケット１３の上端部には、環状のパッキン１０が設けられている。ブラケット１３は、ネジ溝１３ｄが点検口蓋８のネジ溝８ｄに螺合することにより、パッキン１０と共に点検口蓋８に固定される。
【００２１】
次に、本実施形態に係る浴室ユニットの動作について説明する。  
先ず、浴室ユニット１の通常使用時の動作について説明する。  
図１に示すように、浴室ユニット１の通常使用時においては、点検口蓋８は点検口７に装着されている。このとき、放光口部材１４の光入射口１５は、光ダクト１０２の光出射口１０５に対して近い位置に配置されており、対向しているが、接触はしていない。このため、放光口部材１４は、光ダクト１０２に対して、光学的には結合されているが、機械的には連結されていない。
【００２２】
この状態で、図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、透光板１０６を透過して、最先端部の光出射口１０５から出射する。光出射口１０５から出射した外光Ｌは、隙間ｃを通過し、放光口部材１４の光入射口１５に到達する。そして、透光板１６を透過することにより、光入射口１５から放光口部材１４の内部に導入される。その後、外光Ｌは、放光口部材１４の内面で適宜反射を繰り返すことにより、放光口１１へと導かれる。放光口１１に到達した外光Ｌは、ブラケット１３のドーム状部分１３ａを透過することにより拡散され、浴室ユニット１内に放射状に散光される。一方、排気フィン６が駆動することにより、排気口５及び排気管１０４を介して、浴室ユニット１内の空気が建築物の外部に排気される。
【００２３】
次に、浴室ユニット１の点検時の動作について説明する。  
図３に示すように、浴室ユニット１の天井４上に配設された機能部材、例えば排気フィン６などを点検する際には、例えばブラケット１３を点検口蓋８から外した後、点検口蓋８を一旦上方に持ち上げることにより、放光口部材１４と共に点検口７から取り外し、その後、水平方向に搬送し、天井４上における点検口７以外の領域に仮置きする。これにより、点検口７を開口し、この点検口７を介して、作業者（図示せず）が点検作業を行うことができる。また、点検作業が終了した後は、点検口蓋８を放光口部材１４と共に点検口７に装着し、ブラケット１３を取り付ける。
【００２４】
次に、本実施形態の効果について説明する。  
本実施形態においては、放光口１１を点検口７の点検口蓋８に設けているため、浴室ユニット１の天井４に、点検口７とは別に放光口を設ける必要がない。このため、放光口１１を設けても、天井４上のスペースが圧迫されず、機能部材の配置自由度を低下させることがないと共に、機能部材のメンテナンス性が低下することがない。また、浴室ユニット１内から見た天井４の外観がすっきりする。
【００２５】
また、放光口部材１４は光ダクト１０２に連結されていないため、点検口蓋８を点検口７に対して着脱する際に、放光口部材１４と光ダクト１０２との間の着脱作業が不要である。このため、単に点検口蓋８を持ち上げるだけで点検口蓋８を点検口７から取り外すことができる。従って、本実施形態に係る浴室ユニット１は、機能部材のメンテナンス性が優れている。また、光出射口１０５が水平面に対して傾斜しており、放光口部材１４は、光ダクト１０２の光出射口１０５の直下域から外れた領域に配置されているため、放光口部材１４の上方への移動が規制されることがない。特に、本実施形態においては、光出射口１０５は垂直面を形成しているため、放光口部材１４を光出射口１０５の直下域から外れた領域に配置しつつ、隙間ｃの大きさを可及的に小さくすることができる。
【００２６】
更に、本実施形態に係る浴室ユニット１は、既存の浴室ユニットに対して、放光口部材１４を設けると共に、点検口蓋８の設計を変えれば実現することができ、放光口部材１４及び点検口蓋８以外の部分については、既存の部品をそのまま使うことができる。このため、放光口を設けることによるコストの増加を抑えることができる。
【００２７】
更にまた、本実施形態においては、浴室ユニット１の点検時には、点検口蓋８を放光口部材１４と共に天井４上の任意の場所に仮置きすることができる。すなわち、点検作業の内容に応じて、その都度、点検口蓋８及び放光口部材１４を点検作業の邪魔にならない場所に置けばよいため、点検口蓋８及び放光口部材１４の存在により作業が妨げられることがほとんどなく、メンテナンス性が高い。これに対して、放光口を天井４に固定的に設けた場合には、この放光口に結合される放光口部材の位置も固定されてしまうため、点検作業の内容によっては、この放光口部材が作業の妨げになる。
【００２８】
更にまた、放光口部材１４の光入射口１５には透光板１６が設けられているため、放光口部材１４の内部を気密的に封止することができる。これにより、放光口部材１４の内部に埃及び昆虫などが侵入し、光の利用効率を低減させることを防止できる。また、ブラケット１３にはパッキン１０が設けられているため、浴室ユニット１内の蒸気が放光口部材１４内に侵入して、放光口部材１４の内面を曇らせたり、腐食させたりすることを防止できる。
【００２９】
一方、光ダクト１０２の光出射口１０５には透光板１０６が設けられているため、光ダクト１０２の内部に埃、昆虫及び水蒸気などが侵入することがなく、光ダクト１０２における光の利用効率が低下することがない。また、点検口７における点検口蓋８に接触する面にはパッキン９が設けられているため、点検口７と点検口蓋８との間の気密性が高く、浴室ユニット１内の水蒸気が天井４上に漏洩することがない。このため、浴室ユニット１から漏洩した水蒸気によって透光板１６及び１０６が曇り、光の透過効率が低下することがない。
【００３０】
なお、本実施形態においては、放光口部材の軸直交断面における形状が矩形である例を示したが、本発明はこれに限定されず、この断面の形状は例えば円形であってもよい。すなわち、放光口部材は、円筒形のダクトが組み合わされて形成されていてもよい。
【００３１】
また、点検口蓋８及びブラケット１３は、不透光性材料及び透光性材料の２種類の樹脂材料を使用して、一体的に成形されていてもよい。この場合は、この一体成形物は２色成形体となり、不透光性材料により点検口蓋８に相当する部分が形成され、透光性材料によりブラケット１３に相当する部分が形成される。そして、点検時には、この一体成形物を点検口７から一旦上方に持ち上げ、その後水平方向に搬送し、天井４上における点検口７以外の領域に仮置きする。このようにすれば、点検口蓋８及びブラケット１３の構成が簡単になり、パッキン１０が不要になる。なお、この一体成形物の下面は平坦にしてもよい。これにより、仮置きが容易になる。また、点検口蓋８全体を透光性材料により形成してもよい。これにより、ブラケット１３に相当する部分を省略することができる。
【００３２】
以下、上述の実施形態の変形例について説明する。以下の変形例は、放光口部材及び光ダクトの形状及び位置関係についてのバリエーションである。  
先ず、第１の変形例について説明する。  
図６は、本変形例に係る浴室ユニットの放光口部材付近を例示する断面図であり、  
図７は、この浴室ユニットの結合部材を例示する断面図である。  
図６に示すように、本変形例は、前述の実施形態と比較して、放光口部材２４に水平部分が設けられておらず、放光口部材２４と光ダクト１０２との間に結合部材２５が設けられている点が異なっている。
【００３３】
すなわち、本変形例の放光口部材２４の形状は、上面が傾斜した四角柱形状である。そして、放光口部材２４の上端部の側面に光入射口１５が形成されており、この光入射口１５には透光板１６が取り付けられている。また、透光板１６には、結合部材２５が連結されている。結合部材２５は、両端が開口された円筒形のダクトであり、中心軸が水平方向に延びており、内面が光反射面とされている。結合部材２５の一端は透光板１６に連結されており、放光口部材２４の光入射口１５に対して光学的に結合されている。
【００３４】
一方、結合部材２５の他端は光ダクト１０２の光出射口１０５に対向しており、光出射口１０５に対して光学的に結合されている。但し、この結合部材２５の他端は光ダクト１０２には接しておらず、光ダクト１０２に取り付けられた透光板１０６との間は、隙間ｃとなっている。このため、結合部材２５は、光ダクト１０２に対して機械的には連結されていない。なお、図７に示すように、結合部材２５の端面の形状は円環状であり、光出射口１０５の形状は矩形であり、両形状は相互に異なっている。また、結合部材２５の端面の内縁は光出射口１０５の外縁の内側に配置されている。
【００３５】
本変形例においては、光ダクト１０２の光出射口１０５から出射した光は、隙間ｃを通過して結合部材２５内に導入され、結合部材２５内を伝達した後、光入射口１５を介して放光口部材２４内に進入し、放光口部材２４内を伝達して放光口１１に到達する。
【００３６】
次に、本変形例の効果について説明する。  
実際に建築物に浴室ユニット１を設置する場合には、光ダクト１０２の先端部が引き出されている位置が建築物によって異なることがあり、浴室ユニット１の点検口蓋８に設けられた放光口１１と、光ダクト１０２の光出射口１０５との間の位置関係が一定でない可能性がある。前述の実施形態においては、このような場合には、放光口１１と光出射口１０５との間の位置関係に応じて、放光口部材を個別に設計する必要が生じる。これに対して、本変形例によれば、放光口１１と光出射口１０５との間の位置関係に応じて、結合部材２５の形状のみを変更すれば、放光口部材を変更する必要はなく、同じ規格の放光口部材を使用することができる。これにより、浴室ユニットの設置コストを低減することができる。本変形例における上記以外の構成、動作及び効果は、前述の実施形態と同様である。
【００３７】
次に、第２の変形例について説明する。  
図８は、本変形例に係る浴室ユニットの放光口部材付近を例示する断面図である。  
図８に示すように、本変形例においては、前述の第１の変形例と比較して、結合部材２５（図６参照）が省略されており、放光口部材２４が光ダクト１０２に対して、直接光学的に結合されている。なお、放光口部材２４は光ダクト１０２に対して機械的には連結されていない。本変形例における上記以外の構成は、前述の第１の変形例と同様である。
【００３８】
本変形例に示すように、光ダクト１０２を放光口１１の直上域の近くまで引き出すことができる場合には、結合部材を省略することができる。これにより、前述の第１の変形例と比較して、点検作業効率はやや低下するものの、コストを低減すると共に、光の利用効率を向上させることができる。本変形例における上記以外の動作及び効果は、前述の実施形態と同様である。
【００３９】
次に、第３の変形例について説明する。  
図９は、本変形例に係る浴室ユニットの放光口部材付近を例示する断面図である。  
図９に示すように、本変形例においては、光ダクト１０２が水平方向に延びるように配設されており、先端部が屈曲しておらず、光出射口１０５は水平方向に向けて開口している。この場合にも、前述の第２の変形例と同様な効果を得ることができる。
【００４０】
次に、第４の変形例について説明する。  
図１０は、本変形例に係る浴室ユニットの放光口部材付近を例示する断面図である。  
図１０に示すように、本変形例においては、放光口部材３４の形状が、連続的に湾曲した曲管状となっている。すなわち、放光口部材３４は、点検口蓋８の放光口１１から上方に向かって引き出されつつ連続的に湾曲し、光ダクト１０２の光出射口１０５に向かっている。そして、放光口部材３４の端部に形成された光入射口１５は、光出射口１０５に対して、隙間ｃを隔てて対向している。本変形例における上記以外の構成、動作及び効果は、前述の実施形態と同様である。
【００４１】
次に、第５の変形例について説明する。  
図１１は、本変形例に係る浴室ユニットの放光口部材付近を例示する断面図である。  
図１１に示すように、本変形例においては、光ダクト１０２の先端部が垂直方向に延び、光出射口１０５が下方に向けて開口している。一方、放光口部材４４は屈曲しておらず、放光口部材４４の光入射口１５は、光ダクト１０２の光出射口１０５の直下域に配置されており、上方に向けて開口している。そして、光出射口１０５と光入射口１５との間の距離ｈは、点検口蓋８を点検口７に対して着脱することができ、点検作業者が点検口７から上半身を乗り出すことができる程度に大きく、例えば、数十センチメートルとされている。
【００４２】
浴室ユニットの天井と住宅１０１の天井との間に十分な距離があり、光出射口１０５から光入射口１５までの光の伝達効率が多少低くても構わない場合は、本変形例のような構成を採用することが可能である。本変形例によれば、放光口部材４４の構成を簡略化することができるため、コストを低減できると共に、放光口部材を軽量化して、点検口蓋８の着脱作業を容易にすることができる。本変形例における上記以外の構成、動作及び効果は、前述の実施形態と同様である。
【００４３】
以上、本発明の実施形態及びその変形例を参照しつつ、本発明の特徴を説明した。しかし、本発明はこれらの実施形態及び変形例に限定されるものではない。すなわち、上述の実施形態又は変形例に係る浴室ユニットを構成するいずれかの要素について当業者が適宜追加、省略又は設計変更を加えたものであっても、本発明の要旨を備えたものであれば、本発明の範囲に包含される。例えば、前述の実施形態及び各変形例においては、屋外から浴室ユニット内に外光を導入する導光設備が光ダクトである例を示したが、本発明はこれに限定されず、導光設備は例えば光ファイバであってもよい。
【図面の簡単な説明】
【００４４】
【図１】本発明の実施形態に係る浴室ユニットが設けられた建築物を例示する模式的断面図である。
【図２】本実施形態に係る浴室ユニットを例示する斜視図である。
【図３】本実施形態に係る浴室ユニットにおける放光口部材付近を例示する断面図である。
【図４】本実施形態に係る浴室ユニットにおける点検口蓋とブラケットとの連結部付近を例示する断面図である。
【図５】本実施形態に係る浴室ユニットの点検口付近を例示する下面図である。
【図６】第１の変形例に係る浴室ユニットの放光口部材付近を例示する断面図である。
【図７】第１の変形例に係る浴室ユニットの結合部材を例示する断面図である。
【図８】第２の変形例に係る浴室ユニットの放光口部材付近を例示する断面図である。
【図９】第３の変形例に係る浴室ユニットの放光口部材付近を例示する断面図である。
【図１０】第４の変形例に係る浴室ユニットの放光口部材付近を例示する断面図である。
【図１１】第５の変形例に係る浴室ユニットの放光口部材付近を例示する断面図である。
【符号の説明】
【００４５】
１  浴室ユニット、２  浴槽、３  洗い場、４  天井、５  排気口、６  排気フィン、７  点検口、７ａ  段差、８  点検口蓋、８ａ  段差、８ｄ  ネジ溝、９、１０  パッキン、１１  放光口、１３  ブラケット、１３ａ  ドーム状部分、１３ｂ  円環板状部分、１３ｃ  円筒状部分、１３ｄ  ネジ溝、１４、２４、３４、４４  放光口部材、１４ａ  垂直部分、１４ｂ  水平部分、１４ｃ  側面、１５  光入射口、１６  透光板、２５  結合部材、１０１  住宅、１０２  光ダクト、１０３  採光部、１０４  排気管、１０５  光出射口、１０６  透光板、ｃ  隙間、ｈ  距離、Ｌ  外光
【図１】
2008084750.tif 000003
【図２】
2008084750.tif 000004
【図３】
2008084750.tif 000005
【図４】
2008084750.tif 000006
【図５】
2008084750.tif 000007
【図６】
2008084750.tif 000008
【図７】
2008084750.tif 000009
【図８】
2008084750.tif 000010
【図９】
2008084750.tif 000011
【図１０】
2008084750.tif 000012
【図１１】
2008084750.tif 000013